(57)【特許請求の範囲】
【請求項１】
長手端部に水平部、長手中間部に傾斜部が構成されたトラスからなるエスカレーターの主枠に対して、この主枠の長手に沿う所定位置に張設される芯出し線と、
上記主枠の弦材の側面に重合して配置される取付板及びこの取付板から上方に突設された上記芯出し線の支持部からなり上記主枠の長手に上下方向に交差して配置されて上記芯出し線を保持する芯出し線保持具と、
一側が上記弦材に掛合されて、上記取付板に設けられて長手が上下方向に配置されると共に上記取付板における幅方向に互いに離れて設けられた溝穴にそれぞれ挿通されて上記取付板を上記弦材に締結し、上記主枠の水平部及び傾斜部に関わりなく上記芯出し線保持具を上記弦材に所定姿勢に装着する締結具と
を備えたエスカレーター用芯出し装置。
【請求項２】
芯出し線保持具の取付板における幅方向の両縁部にそれぞれ設けられて、上記芯出し線保持具が鉛直姿勢で主枠の傾斜部に配置されたときに、上記傾斜部の傾斜線に一致する位置に標示された指標を備えたことを特徴とする請求項１記載のエスカレーター用芯出し装置。
【請求項３】
芯出し線保持具の取付板を、この取付板の溝穴に対応して設けられて、上記取付板の幅方向の縁部に開口して上記溝穴に連通した切欠溝を有するものとしたことを特徴とする請求項１及び請求項２のいずれか一つに記載のエスカレーター用芯出し装置。
【発明の詳細な説明】
【０００１】
【発明の属する技術分野】
この発明は、機器を主枠内の所定位置に取付ける作業に使用されるエスカレーター用芯出し装置に関する。
【０００２】
【従来の技術】
図７〜図１１は、従来のエスカレーター用芯出し装置を示す図で、図７はエスカレーターを概念的に示す側面図、図８は図７のＡ−Ａ線断面における要部拡大図、図９は図７のＢ部拡大図、図１０は図７のＣ部拡大図、図１１は図８の支持子箇所の拡大図である。図において、１はエスカレーターの主枠で、長手端部に水平部２、長手中間部に傾斜部３が構成され、また弦材４を有するトラス５によって形成されている。６はトラス５の幅方向の中心線である。
【０００３】
７は主枠１の水平部２に立設された第一種芯出し線保持具で、トラス５の幅方向の両側にそれぞれ設けられ、水平部２の弦材４の上面に重合状態に配置されて水平姿勢に装備された座板８、座板８から鉛直に立設された柱体からなる支持部９、ボルト状をなし長手中間に支持溝１０が設けられて支持部９にねじ込まれて互いに上下に離れて配置された支持子１１、支持子１１のねじ部にねじ込まれて支持部９面に配置された止めナット１２によって構成されている。
【０００４】
１３は間隔片で、水平部２の弦材４面と第一種芯出し線保持具７の座板８の間に複数枚が挿入されて第一種芯出し線保持具７の上下方向位置を調整する。１４は締結具で、座板８、間隔片１３及び弦材４に挿通されたボルト並びにこのボルトの挿通端にねじ込まれたナットによって構成されている。
【０００５】
１５は主枠１の傾斜部３に立設された第二種芯出し線保持具で、トラス５の幅方向の両側にそれぞれ設けられ、傾斜部３の弦材４の上面に重合状態に配置されて傾斜部３の傾斜角度に一致した傾斜姿勢に装備された座板１６、座板１６から鉛直に立設された柱体からなる支持部１７、支持部１７にねじ込まれて互いに上下に離れて配置された前述の支持子１１、支持子１１のねじ部にねじ込まれた前述の止めナット１２によって構成されている。
【０００６】
１８は間隔片で、傾斜部３の弦材４面と第二種芯出し線保持具１５の座板１６の間に複数枚が挿入されて第二種芯出し線保持具１５の上下方向位置を調整する。１９は締結具で、座板１６、間隔片１８及び弦材４に挿通されたボルト並びにこのボルトの挿通端にねじ込まれたナットによって構成されている。２０は直径が０．５mm程度のピアノ線からなる芯出し線で、支持子１１の支持溝１０に巻掛けられて保持され、第一種芯出し線保持具７及び第二種芯出し線保持具１５の相互間に張設される。
【０００７】
そして、支持部９又は支持部１７の下側の支持子１１によって張設された芯出し線２０は、間隔片１３により第一種芯出し線保持具７等の上下位置が調整されて、主枠１傾斜部３の弦材４面から図７に示す距離Ｄ上方に、弦材４面と並行に配置される。また、支持部９又は支持部１７の上側の支持子１１によって張設された芯出し線２０は、下側の芯出し線２０から所定距離上方に離れて下側の芯出し線２０と並行に配置される。
【０００８】
従来のエスカレーター用芯出し装置は上記のように構成され、張設された芯出し線２０を基準として主枠１内にエスカレーターの機器（図示しない）が所定位置に取付けられる。なお、第一種芯出し線保持具７は上部の水平部２であって傾斜部３に近い位置に設置する必要がある。また、第二種芯出し線保持具１５は傾斜部３の下端であって下部の水平部２に近い位置に設置する必要がある。
【０００９】
【発明が解決しようとする課題】
上記のような従来のエスカレーター用芯出し装置では、第一種芯出し線保持具７等を主枠１、すなわち弦材４に取付けるために締結具１４を挿通する孔を加工する煩雑な手数が掛かる。また、主枠１の水平部２及び傾斜部３のそれぞれに設置するために二種の芯出し線保持具を準備することになり手数を要し、また費用が嵩むことになる。さらに、第一種芯出し線保持具７等の上下方向位置の調整のために、複数枚の間隔片１８を何度も出し入れすることになるので、長時間の作業を要するという問題点があった。
【００１０】
この発明は、かかる問題点を解消するためになされたものであり、簡易に製作でき、また少ない手数で取付けできる部材によって容易に芯出し線を所定位置に張設することができるエスカレーター用芯出し装置を得ることを目的とする。
【００１１】
【課題を解決するための手段】
この発明に係るエスカレーター用芯出し装置においては、長手端部に水平部、長手中間部に傾斜部が構成されたトラスからなるエスカレーターの主枠に対して、この主枠の長手に沿う所定位置に張設される芯出し線と、主枠の弦材の側面に重合して配置される取付板及びこの取付板から上方に突設された芯出し線の支持部からなり主枠の長手に上下方向に交差して配置されて芯出し線を保持する芯出し線保持具と、一側が弦材に掛合されて、取付板に設けられて長手が上下方向に配置されると共に取付板における幅方向に互いに離れて設けられたた溝穴にそれぞれ挿通されて取付板を弦材に締結し、主枠の水平部及び傾斜部に関わりなく芯出し線保持具を弦材に所定姿勢に装着する締結具とが設けられる。
【００１２】
また、この発明に係るエスカレーター用芯出し装置においては、芯出し線保持具の取付板における幅方向の両縁部にそれぞれ設けられて、芯出し線保持具が鉛直姿勢で主枠の傾斜部に配置されたときに、傾斜部の傾斜線に一致する位置に標示された指標が設けられる。
【００１３】
また、この発明に係るエスカレーター用芯出し装置においては、取付板の溝穴に対応して設けられて取付板の幅方向の縁部に開口し、取付板の溝穴に連通した切欠溝を有する芯出し線保持具の取付板が設けられる。
【００１４】
【発明の実施の形態】
実施の形態１．
図１〜図４は、この発明の実施の形態の一例を示す図で、図１はエスカレーターを概念的に示す側面図、図２は図１のＥ−Ｅ線断面における要部拡大図、図３は図１のＦ部拡大図、図４は図１のＧ部拡大図である。図において、１はエスカレーターの主枠で、長手端部に水平部２、長手中間部に傾斜部３が構成され、また弦材４を有するトラス５によって形成されている。６はトラス５の幅方向の中心線である。
【００１５】
２１は芯出し線保持具で、トラス５の幅方向の両側にそれぞれ設けられて主枠１上部の水平部２であって傾斜部３に近い位置及び主枠１の傾斜部３の下端であって下部の水平部２に近い位置に設置されて、一側がトラス５の弦材４の側面に重合して配置されて上部が屈折されて水平面２２が形成された取付板２３、水平面２２から鉛直に立設された柱体からなる支持部９、ボルト状をなし長手中間に支持溝１０が設けられて支持部９にねじ込まれて互いに上下に離れて配置された支持子１１及び支持子１１のねじ部にねじ込まれて支持部９面に配置された止めナット１２によって構成されている。
【００１６】
２４は取付板２３のトラス５の側面との重合面に設けられた溝穴で、長手が取付板２３の長手方向、すなわち上下方向に配置されて互いに上下に離れて二つが設けられ、また取付板２３の幅方向に互いに離れて二列に設けられている。２５は第一種締結具で、Ｊボルトからなり一端、すなわちＪ字の屈折部が弦材４の水平突出端に係止されて他端は取付板２３の上側の溝穴２４に挿通され、この挿通端にナット２６がねじ込まれている。
【００１７】
２７は第二種締結具で、ボルトからなり弦材４の下垂片の縁部に掛合されたクリップ２８に挿通されて他端は取付板２３の下側の溝穴２４に挿通され、この挿通端にナット２９がねじ込まれている。２０は直径が０．５mm程度のピアノ線からなる芯出し線であり、支持子１１の支持溝１０に巻掛けられて保持され、主枠１の上部寄り及び下部寄りにそれぞれ設けられた芯出し線保持具２１の相互間に張設される。
【００１８】
そして、芯出し線保持具２１の主枠１に対する上下方向位置が締結具及び取付板２３の溝穴２４を介して適所に調整されて、位置調整された芯出し線保持具２１が第一種締結具２５、第二種締結具２７によって主枠１に締結される。これによって、支持具９における下側の支持子１１によって張設された芯出し線２０は、主枠１傾斜部３の弦材４面から図１に示す距離Ｄ上方に、弦材４面と並行に配置される。また、支持具９における上側の支持子１１によって張設された芯出し線２０は、下側の芯出し線２０から所定距離上方に離れて下側の芯出し線２０と並行に配置される。
【００１９】
上記のように構成されたエスカレーター用芯出し装置において、張設された芯出し線２０を基準として主枠１内にエスカレーターの機器（図示しない）が所定位置に取付けられる。そして、芯出し線保持具２１の設置位置が、図３及び図４に示すように主枠１の水平部２及び傾斜部３のいずれであっても、取付板２３に設けられた溝穴２４における上下方向の適所に第一種締結具２５、第二種締結具２７が挿通される。
【００２０】
これによって、一種類の芯出し線保持具２１によって主枠１の水平部２配置及び傾斜部３配置の両方に容易に対応することができる。したがって、芯出し線保持具２１の製作費を低減でき、また芯出し線保持具２１の保管の手数を少なくすることができる。また、芯出し線保持具２１を主枠１に装着するための弦材４等への孔明け加工を省略できるので、芯出し線保持具２１の装着作業を簡易化することができる。
【００２１】
また、第一種締結具２５、第二種締結具２７により溝穴２４を介して芯出し線保持具２１の上下方向の位置を調整することができるので、容易に上下方向について位置決めでき作業時間を短縮することができる。したがって、芯出し線２０を所定位置に容易に張設することができ張設作業性を向上することができ、エスカレーターの据付費を節減することができる。
【００２２】
実施の形態２．
図５は、この発明の他の実施の形態の一例を示す図で、前述の図４相当図である。なお、図５の他は前述の図１〜図４の実施の形態と同様にエスカレーター用芯出し装置が構成される。図において、図１〜図４と同符号は相当部分を示し、３０は第一指標で、芯出し線保持具２１の取付板２３の幅方向の一方の縁部に設けられている。３１は第二指標で、芯出し線保持具２１の取付板２３の幅方向の他方の縁部に設けられている。３２は第三指標で、第二指標３１よりも下方の取付板２３の縁部に設けられている。
【００２３】
上記のように構成されたエスカレーター用芯出し装置においても、芯出し線保持具２１の取付板２３に設けられた溝穴２４を介して、第一種締結具２５、第二種締結具２７により主枠１の所定位置に所定姿勢で芯出し線保持具２１が装着される。したがって、詳細な説明を省略するが図５の実施の形態においても図１〜図４の実施の形態と同様な作用が得られる。
【００２４】
また、図５の実施の形態において、第一指標３０、第二指標３１を結ぶ線を主枠１の傾斜部３における弦材４の位置に合わせることによって、主枠１の傾斜部３の水平線に対する傾斜角度、例えば３０°に対して芯出し線保持具２１を容易に鉛直姿勢に配置することができる。
【００２５】
また、第一指標３０、第三指標３２を結ぶ線を主枠１の傾斜部３における弦材４の位置に合わせることによって、主枠１の傾斜部３の水平線に対する傾斜角度、例えば３５°に対して芯出し線保持具２１を容易に鉛直姿勢に配置することができる。したがって、芯出し線保持具２１を主枠１に装着する作業能率を向上することができエスカレーターの据付費をさらに節減することができる。
【００２６】
実施の形態３．
図６も、この発明の他の実施の形態の一例を示す図で、前述の図４の要部相当図である。なお、図６の他は前述の図１〜図４の実施の形態と同様にエスカレーター用芯出し装置が構成される。図において、図１〜図４と同符号は相当部分を示し、３３は切欠溝で、それぞれの溝穴２４に対応して設けられて、芯出し線保持具２１の取付板２３の幅方向の縁部に開口して水平に配置され、溝穴２４に連通して配置されている。
【００２７】
上記のように構成されたエスカレーター用芯出し装置においても、芯出し線保持具２１の取付板２３に設けられた溝穴２４を介して、第一種締結具２５、第二種締結具２７により主枠１の所定位置に所定姿勢で芯出し線保持具２１が装着される。したがって、詳細な説明を省略するが図６の実施の形態においても図１〜図４の実施の形態と同様な作用が得られる。
【００２８】
また、図６の実施の形態において、取付板２３の幅方向の縁部に開口して溝穴２４に連通した切欠溝３３が設けられている。このため、第一種締結具２５のねじ部にナット２６を、第二種締結具２７のねじ部にナット２９をねじ込んだ状態で、取付板２３の幅方向の縁部から第一種締結具２５、第二種締結具２７を取付板２３に係合することができる。したがって、芯出し線保持具２１の締結作業の手数を省くことができ、芯出し線保持具２１を主枠１に装着する作業能率を向上できエスカレーターの据付費を一層節減することができる。
【００２９】
【発明の効果】
この発明は以上説明したように、長手端部に水平部、長手中間部に傾斜部が構成されたトラスからなるエスカレーターの主枠、この主枠の長手に沿う所定位置に張設される芯出し線と、主枠の弦材の側面に重合して配置される取付板及びこの取付板から上方に突設された芯出し線の支持部からなり主枠の長手に上下方向に交差して配置されて芯出し線を保持する芯出し線保持具と、一側が弦材に掛合されて、取付板に設けられて長手が上下方向に配置されると共に水平方向に互いに離れて設けられたた溝穴にそれぞれ挿通されて取付板を弦材に締結し、主枠の水平部及び傾斜部に関わりなく芯出し線保持具を弦材に所定姿勢に装着する締結具とを設けたものである。
【００３０】
これによって、一種類の芯出し線保持具によって主枠の水平部配置及び傾斜部配置の両方に容易に対応することができる。したがって、芯出し線保持具の製作費を低減し、また保管の手数を少なくする効果がある。また、芯出し線保持具を主枠に装着するための弦材等への孔明け加工を省略できるので、芯出し線保持具の装着作業を簡易化する効果がある。さらに、締結具により溝穴を介して芯出し線保持具の上下方向の位置を調整することができるので、容易に上下方向の適所に位置決めでき作業時間を短縮する効果がある。このため、芯出し線を所定位置に容易に張設することができ張設作業性を向上することができ、エスカレーターの据付費を節減する効果がある。
【００３１】
また、この発明は以上説明したように、芯出し線保持具の取付板における幅方向の両縁部にそれぞれ設けられて、芯出し線保持具が鉛直姿勢で主枠の傾斜部に配置されたときに、傾斜部の傾斜線に一致する位置に標示された指標を設けたものである。
【００３２】
これによって、一種類の芯出し線保持具によって主枠の水平部配置及び傾斜部配置の両方に容易に対応することができる。したがって、芯出し線保持具の製作費を低減し、また保管の手数を少なくする効果がある。また、芯出し線保持具を主枠に装着するための弦材等への孔明け加工を省略できるので、芯出し線保持具の装着作業を簡易化する効果がある。さらに、締結具により溝穴を介して芯出し線保持具の上下方向の位置を調整することができるので、容易に上下方向の適所に位置決めでき作業時間を短縮する効果がある。このため、芯出し線を所定位置に容易に張設することができ張設作業性を向上することができ、エスカレーターの据付費を節減する効果がある。
また、芯出し線保持具の取付板に指標が設けられるので、主枠の傾斜部の水平線に対する傾斜角度に対して芯出し線保持具を容易に鉛直姿勢に配置することができる。このため、芯出し線保持具を主枠に装着する作業能率を向上する効果がある。
【００３３】
また、この発明は以上説明したように、取付板の溝穴に対応して設けられて取付板の幅方向の縁部に開口し、取付板の溝穴に連通した切欠溝を有する芯出し線保持具の取付板を設けたものである。
【００３４】
これによって、一種類の芯出し線保持具によって主枠の水平部配置及び傾斜部配置の両方に容易に対応することができる。したがって、芯出し線保持具の製作費を低減し、また保管の手数を少なくする効果がある。また、芯出し線保持具を主枠に装着するための弦材等への孔明け加工を省略できるので、芯出し線保持具の装着作業を簡易化する効果がある。さらに、締結具により溝穴を介して芯出し線保持具の上下方向の位置を調整することができるので、容易に上下方向の適所に位置決めでき作業時間を短縮する効果がある。このため、芯出し線を所定位置に容易に張設することができ張設作業性を向上することができ、エスカレーターの据付費を節減する効果がある。
また、芯出し線保持具の取付板に、これの溝穴に連通した切欠溝が設けられる。このため、締結具のねじ部にナットをねじ込んだ状態で、取付板の幅方向の縁部から締結具を取付板に係合することができる。したがって、芯出し線保持具の締結作業の手数を少なくする効果がある。
【図面の簡単な説明】
【図１】  この発明の実施の形態１を示す図で、エスカレーターを概念的に示す側面図。
【図２】  図１のＥ−Ｅ線断面における要部拡大図。
【図３】  図１のＦ部拡大図。
【図４】  図１のＧ部拡大図。
【図５】  この発明の実施の形態２を示す図で、前述の図４相当図。
【図６】  この発明の実施の形態３を示す図で、前述の図４の要部に相当する図。
【図７】  従来のエスカレーター用芯出し装置を示す図で、エスカレーターを概念的に示す側面図。
【図８】  図７のＡ−Ａ線断面における要部拡大図。
【図９】  図７のＢ部拡大図。
【図１０】  図７のＣ部拡大図。
【図１１】  図８の支持子箇所の拡大図。
【符号の説明】
１  主枠、２  水平部、３  傾斜部、４  弦材、５  トラス、９  支持部、２０  芯出し線、２１  芯出し線保持具、２３  取付板、２４  溝穴、２５  第一種締結具（締結具）、２７  第二種締結具（締結具）、３０  第一指標、３１第二指標、３２  第三指標、３３  切欠溝。
【図１】
0003720659.tif 000002
【図２】
0003720659.tif 000003
【図３】
0003720659.tif 000004
【図４】
0003720659.tif 000005
【図５】
0003720659.tif 000006
【図６】
0003720659.tif 000007
【図７】
0003720659.tif 000008
【図８】
0003720659.tif 000009
【図９】
0003720659.tif 000010
【図１０】
0003720659.tif 000011
【図１１】
0003720659.tif 000012